(57)【要約】【課題】  水道の水を使い短時間で一定範囲の雪を消すことができる散水型回転式融雪器を提供する。【解決手段】  中板（３）の上にドーナツ型のノズル部（Ａ）を設け、その内側に屋根状構造物（１３）をのせた支柱（１２）を設けることを特徴とする。【選択図】  図１
2005336970.tif 000002
【特許請求の範囲】
【請求項１】
水道の蛇口からのばしたホース（４６）に主水管（１）をつなぎ、水を取水パイプ（２）から分水板（４）、中板の穴（５）及びノズル底板の穴（７）を通してノズル水室（８）に導き、ノズル孔（１０）から出すことにより、ノズル体（Ｂ）を回転させ、水（４５）を円形にまくことができるノズル部（Ａ）を有し、自動車や雪からノズル部（Ａ）をまもることができる屋根状構造物（１３）を有する。
本発明は以上の構成よりなる散水型回転式融雪器。
【発明の詳細な説明】
【技術分野】
【０００１】  この発明は、水をまくことにより融雪を行うための回転式融雪器に関するものである。
【背景技術】
【０００２】  雪を消すために小さな穴を開けたパイプに水を通して流しっぱなしにしていた。
【発明の開示】
【発明が解決しようとする課題】
【０００３】  これには次のような欠点があった。
雪が消えるまで大量の水を要し、時間がかかった。
本発明は、これらの欠点を除くためになされたものである。
【課題を解決するための手段】
【０００４】  水道の蛇口からのばしたホース（４６）に主水管（１）をつなぎ、水を取水パイプ（２）から分水板（４）、中板の穴（５）及びノズル底板の穴（７）を通してノズル水室（８）に導き、ノズル孔（１０）から出すことによりノズル体（Ｂ）を回転させ、水（４５）を円形にまくことができるノズル部（Ａ）を有し、自動車や雪からノズル部（Ａ）をまもることができる屋根状構造物（１３）を有する。
本発明は以上の構成よりなる散水型回転式融雪器である。
【発明の効果】
【０００５】  少ない水の量で短時間に一定範囲の雪を消すことができる。
【発明を実施するための最良の形態】
【０００６】（イ）本発明は取水のための取水部（Ｃ）と、散水のための散水部（Ｄ）の上下二段構造となっており、その境界はＡ−Ａ′線である。
（ロ）水道の蛇口からとった水を通す主水管（１）の中央部の上下に穴を開け、下の穴には下板（１７）を貫通させたパイプを設けてパイプＡ（１４）とし、上の穴にはパイプを設けて取水パイプ（２）とする。
（ハ）パイプＡ（１４）の中に弁座（１６）と弁体（１５）を設けて水抜き弁（１１）とする。
（ニ）取水パイプ（２）が入る穴を中央に開けた円形の板を設けて分水板（４）とする。
（ホ）主水管（１）は中板（３）と下板（１７）の間におかれ、Ｕ字形切り欠け部をもつ外側パイプ（１８）と内側パイプ（１９）によって保護されている。
（ヘ）Ｕ字形切り欠け部によって生じた内側パイプ（１９）の欠損部に分水壁ａ（３２）及び同ｂ（３３）を設ける。
（ト）中板（３）の上に屋根状構造物（１３）となる板をのせたパイプを設けて支柱（１２）とし、その外側に４５度の間隔をおいて８個の穴（５）を設ける。
（チ）支柱（１２）の外側にノズル部（Ａ）を設ける。
（ａ）ノズル部（Ａ）は中板（３）に開けた穴（５）と同じ穴（７）をもつノズル底板（６）の上に、支柱（１２）側にはリングＡ（２０）を上部につけたノズル内壁（２５）となるパイプを設け、ノズル底板（６）外縁にはリングＣ（２２）を上につけたノズル外壁（２７）となるパイプを設け、かつノズル体（Ｂ）なるものを設け、これらで囲む空間をノズル水室（８）とする。
（ｂ）ノズル体（Ｂ）はリングＡ（２０）と相対する面にリングＢ（２１）を内側につけたノズル天板（２４）と、リングＣ（２２）と相対する面にリングＤ（２３）を下につけたノズル側壁（２６）となるパイプとが上下に連結しており、ノズル部（Ａ）の中で固定されておらず水平に回転するつくりである。
（ｃ）ノズル（９）はノズル側壁（２６）の側面に、上から見て１２０度の間隔をおいて３個所に貫通させたパイプを設けてノズルパイプ（２８）とし、ノズル孔（１０）及びノズル回し溝（２９）を有して、ノズルパイプ（２８）の中のノズルａリング（３０）とノズルｂリング（３１）の間に設ける。
（ｄ）ノズル孔（１０）はノズル（９）の内面側に入射口をおき、外面側に射出口をおき、適宜の角度をもってノズル（９）の中心線を斜めに貫通している。
（ｅ）ノズル回し溝（２９）はノズル（９）外面に適宜の大きさをもって垂直かつ直線に堀られている。
（リ）弁体（１５）とノズル（９）はプラスチックで構成し、ノズルａリング（３０）とノズルｂリング（３１）はゴムで構成し、その他の部分は金属で構成する。
（ヌ）リングＡ（２０）とリングＢ（２１）の相対する面、及びリングＣ（２２）とリングＤ（２３）の相対する面に精密鏡面研摩加工を施す。
（ル）ノズル（９）は他の部分との接合はなく、ノズルパイプ（２８）とノズルａリング（３０）及びノズルｂリング（３１）との接合は接着材により、その他の接合は溶接による。
本発明は以上の構成からなるもので、これを使用をするときは、
（ヲ）水道の蛇口からのばしたホース（４６）に本器（４４）の主水管（１）をつなぎ、雪が積もるところに置いておき、雪が積もってから水を出す。
（ワ）蛇口から出された水は、主水管（１）から水抜き弁（１１）に入り、弁体（１５）を弁座（１６）におしつけてこれを閉じる。
（カ）同水は取水パイプ（２）から分水板（４）に入り、中板の穴（５）、及びノズル底板の穴（７）を通りノズル水室（８）に入る。
（ヨ）ノズル水室（８）に入った水は、その水圧によりノズル体（Ｂ）をもち上げるため、リングＢ（２１）とリングＡ（２０）の間及び、リングＤ（２３）とリングＣ（２２）の間を狭くしつつ少量の水をしみ出させて水の膜をつくる働きをして、ノズル体（Ｂ）の動きを滑らかにする。
（タ）ノズル（９）はゴム製のノズルａリング（３０）とノズルｂリング（３１）に挟まれており、ノズル（９）の外面のノズル回し溝（２９）にドライバーをさし込んで回すことができる。
（レ）ノズル（９）を正面から見て、時計の文字盤に見たてると、０時に射出口があるとき入射口は６時にあり、また射出口が６時にあるとき入射口は０時にあり、このいずれの場合も、ノズル孔の中心線（３４）を射出口側から入射口側に長くのばすとノズル体の中心線（３５）に斜めにぶつかるのでノズル水流（４０）の力はノズル体の中心線（３５）上にしか働かず、ノズル体（Ｂ）を上か下に斜めに傾かせる作用しか生まないが、ノズル孔（１０）の射出口が０時から６時の間にあるとき、入射口は６時から０時の間にあり、ノズル孔の延長線（３４）はノズル体の中心線（３５）の左側を通るため、ノズル体の中心線（３５）、即ち支点（３６）から直角に出た線で最接近点と結ばれて作用線（３８）となり、最接近点が力点（３７）となり、作用線（３８）の上に作用点（３９）ができることで、力点（３７）にノズル水流と反対向きの力（４１）が加わったとき、作用点（３９）に右まわりの力（４２）が生まれ、ノズル体の回転方向（４３）を右まわりにする。
（ソ）ノズル体（Ｂ）を右まわりにしたいときは２個ないし３個のノズル孔（１０）の位置を０時から６時の間にし、左まわりにしたいときは２個ないし３個のノズル孔（１０）の位置を６時から０時の間にする。
（ツ）ノズル孔（１０）の位置を３個同じにしたときにくらべ２個同じにし、かつ残り１個の位置を０時又は６時にしたときはノズル体（Ｂ）の回る速さが約３分の２となり、残る１個のノズル孔（１０）の位置を他の２個の反対向きにしたときは回る速さが約３分の１となり、３個のノズル孔（１０）から出る水の量をかえずにノズル体（Ｂ）の回る速さをかえることができる。
（ネ）ノズル水室（８）に入った水は適宜の角度をもって上向きになっているノズル孔（１０）から出たとき放物線を描いて飛び、雪を融かしつつ放物線を本器（４４）を中心に回転させた形となって、雪の中に隙間をつくっていく。
（ナ）雪の中にできた隙間の上にある雪は、自身を支えるものがなくなるために下に落ち、本器（４４）からまかれる水（４５）により、次々に融け、本器（４４）を中心に放物線を回転させた形を底面に残してその上の雪が消える。
（ラ）融雪がおわり蛇口の水を止めると、水圧の低下とともに水より軽いプラスチックでできた弁体（１５）が弁座（１６）から離れることで、水抜き弁（１１）から水が抜け、ノズル水室（８）の中の水が排水されて、寒冷時においてもノズル部（Ａ）を凍結させず、次回使うときによりスムーズである。
（ム）屋根状構造物（１３）は頑丈なつくりになっており、自動車のタイヤや落下する雪からノズル部（Ａ）をまもることができる。
（ウ）本器（４４）の主水管（１）は両端が開いており、１個使うときは片端に栓をし、複数個使うときは間にホース（４６）をつなぐことで広い面積の融雪もできる。
【図面の簡単な説明】
【０００７】
【図１】本発明の断面図
【図２】本発明の半断面図
【図３】本発明の取水部（Ｄ）の分解斜視図
【図４】本発明の取水部（Ｄ）の組立て図
【図５】本発明の散水部（Ｃ）の半組立て図
【図６】本発明のノズル（９）の正視図
【図７】本発明のノズル体（Ｂ）の動作説明図
【図８】本発明の実施例図１
【図９】本発明の実施例図２
【符号の説明】
【０００８】  Ａ  ノズル部
Ｂ  ノズル体
Ｃ  散水部
Ｄ  取水部
１  主水管
２  取水パイプ
３  中板
４  分水板
５  中板の穴
６  ノズル底板
７  ノズル底板の穴
８  ノズル水室
９  ノズル
１０  ノズル孔
１１  水抜き弁
１２  支柱
１３  屋根状構造物
１４  パイプＡ
１５  弁体
１６  弁座
１７  下板
１８  外側パイプ
１９  内側パイプ
２０  リングＡ
２１  リングＢ
２２  リングＣ
２３  リングＤ
２４  ノズル天板
２５  ノズル内壁
２６  ノズル側壁
２７  ノズル外壁
２８  ノズルパイプ
２９  ノズル回し溝
３０  ノズルａリング
３１  ノズルｂリング
３２  分水壁ａ
３３  分水壁ｂ
３４  ノズル孔の延長線
３５  ノズル体の中心線
３６  支点
３７  力点
３８  作用線
３９  作用点
４０  ノズル水流
４１  ノズル水流と反対向きの力
４２  右まわりの力
４３  ノズル体の回転方向
４４  本器
４５  水
４６  ホース
【図１】
2005336970.tif 000003
【図２】
2005336970.tif 000004
【図３】
2005336970.tif 000005
【図４】
2005336970.tif 000006
【図５】
2005336970.tif 000007
【図６】
2005336970.tif 000008
【図７】
2005336970.tif 000009
【図８】
2005336970.tif 000010
【図９】
2005336970.tif 000011